(57)【特許請求の範囲】
【請求項１】
袋状の外袋部と、
前記外袋部に収納された袋状の内袋部と、を備え、
前記外袋部と前記内袋部との間に真綿が収納され、
前記内袋部に、羽毛が、直接、又は、袋体に収納された状態で、収納された羽毛布団において、
前記内袋部が、ウールを７０重量％以上含む布帛により構成され、
前記布帛の前記真綿側となる面が、縮絨により毛羽立たせられていることを特徴とする羽毛布団。
【請求項２】
前記布帛がウールを９５重量％以上含むことを特徴とする請求項１に記載の羽毛布団。
【請求項３】
前記布帛が抗菌性繊維を含むことを特徴とする請求項１に記載の羽毛布団。
【請求項４】
袋状の外袋部と、
前記外袋部に収納された袋状の内袋部と、
羽毛布団を前記内袋部に出し入れ可能とする開閉手段と、を備え、
前記外袋部と前記内袋部との間に真綿が収納され、
前記内袋部が、ウールを７０重量％以上含む布帛により構成され、
前記布帛の前記真綿側となる面が、縮絨により毛羽立たせられていることを特徴とする羽毛布団用カバー。
【請求項５】
前記布帛がウールを９５重量％以上含むことを特徴とする請求項４に記載の羽毛布団用カバー。
【請求項６】
前記布帛が抗菌性繊維を含むことを特徴とする請求項４に記載の羽毛布団用カバー。
【発明の詳細な説明】
【技術分野】
【０００１】
本発明は、羽毛層と、羽毛層の外側を覆う真綿層とを有した羽毛布団に関する。
【背景技術】
【０００２】
下記特許文献１には、羽毛層の外側を、内袋を介して、羽毛より重く、かつ、保温性及び吸湿性の良好な真綿層で覆うことにより、保温性や身体へのフィット性を向上させた羽毛布団が記載されている。
【先行技術文献】
【特許文献】
【０００３】
【特許文献１】特許第３３８２４１３号公報
【発明の概要】
【発明が解決しようとする課題】
【０００４】
通常、羽毛布団においては、内部から羽毛が飛び出ないように、外側を覆う布帛にダウンプルーフと称される目詰め加工を施すため、吸湿性が低下してしまう。上記特許文献１記載の羽毛布団においても、同文献の図４に記載された内袋は、内部の羽毛が飛び出ないように極めて細かく織られている（同文献の段落００１７参照）。このような目の詰んだ布帛は通気性（透湿性）が悪いため、吸湿性のよい真綿層でその周囲を覆っても、真綿層から羽毛層に湿気が伝わり難いことから、多湿空気が真綿層に停滞し、布団の快適性が損なわれてしまうという問題があった。また、同文献の図２に記載された内袋においても、真綿層から内袋を介して扁平袋体内の羽毛層に湿気が伝わるときの伝達を良好なものとして、布団の快適性を高めたいという要望があった。一方、真綿層から羽毛層へ湿気を伝わり易くするために、同文献の図４のように内袋内に直接羽毛が収納されている場合において、内袋を織目の粗いものにしたり、同文献の図２のように扁平袋体内に羽毛が収納されている場合において、内袋及び扁平袋体を織目の粗いものにしたりすると、羽毛が真綿層に飛び出易くなるという問題があった。また、上記特許文献１記載の羽毛布団は外袋を真綿が滑り難い構造としているが、内袋を真綿が滑り難い構造として、身体へのフィット感を向上させたいという要望もあった。さらには、布団の保温性を一層向上させたいという要望もあった。
【０００５】
本発明は、上述の課題を解決するものであり、羽毛層の外側を内袋を介して真綿層で覆う構造の羽毛布団及びそのような羽毛布団を構成するための羽毛布団用カバーにおいて、真綿層から羽毛層への湿気の伝達を良好なものとするとともに、真綿層に羽毛が飛び出し難く、かつ、内袋を真綿が滑り難い構造とし、さらに、保温性を一層向上させることを目的とする。
【課題を解決するための手段】
【０００６】
本発明の羽毛布団は、袋状の外袋部と、前記外袋部に収納された袋状の内袋部と、を備え、前記外袋部と前記内袋部との間に真綿が収納され、前記内袋部に、羽毛が、直接、又は、袋体に収納された状態で、収納された羽毛布団において、前記内袋部が、ウールを７０重量％以上含む布帛により構成され、前記布帛の前記真綿側となる面が、縮絨により毛羽立たせられていることを特徴とする。
【０００７】
これによれば、真綿層と羽毛層との間に配置される内袋部が、吸湿性に優れたウールを７０重量％以上含む布帛により構成されているため、真綿層から羽毛層への湿気の伝達が良好となる。また、当該布帛の真綿側の面の毛羽（けば）が当該布帛の織目の隙間を塞ぐような構成となるため、当該布帛を目の詰まったものとしなくても、真綿層に羽毛が飛び出し難くなるとともに、当該布帛の毛羽により真綿との間の摩擦力が大きくなるため、真綿が内袋部に対して滑り難くなる。さらに、当該布帛の毛羽によりさらなる保温層が形成されるため、保温性が一層向上する。
【０００８】
ここで、前記布帛がウールを９５重量％以上含むこととすれば、吸湿性に非常に優れることとなる。
【０００９】
また、前記布帛が抗菌性繊維を含むこととすれば、菌の繁殖が抑制されるため、衛生的な羽毛布団を提供可能となる。
【００１１】
本発明の羽毛布団用カバーは、袋状の外袋部と、前記外袋部に収納された袋状の内袋部と、羽毛布団を前記内袋部に出し入れ可能とする開閉手段と、を備え、前記外袋部と前記内袋部との間に真綿が収納され、前記内袋部が、ウールを７０重量％以上含む布帛により構成され、前記布帛の前記真綿側となる面が、縮絨により毛羽立たせられていることを特徴とする。
【００１２】
このような構成の羽毛布団用カバーは、例えば、手持ちの羽毛布団等、任意の羽毛布団を内部に収納させて使用することができ、任意の羽毛布団を使用した場合にも、内袋部から羽毛布団側への湿気の伝達が良好となるため、真綿層から羽毛層への湿気の伝達が良好となり、羽毛布団から羽毛が飛び出たとしても、その羽毛が真綿層に飛び出し難くなる。また、内袋部を構成する布帛の毛羽により、真綿が内袋部に対して滑り難くなるとともに、保温性が一層向上する。
【００１３】
ここで、前記布帛がウールを９５重量％以上含むこととすれば、吸湿性に非常に優れることとなる。
【００１４】
また、前記布帛が抗菌性繊維を含むこととすれば、菌の繁殖が抑制されるため、衛生的な羽毛布団用カバーを提供可能となる。
【図面の簡単な説明】
【００１６】
【図１】本発明の第１実施形態に係る羽毛布団の斜視図である。
【図２】図１のII−II部位の概略拡大断面図である。
【図３】本発明の第２実施形態に係る羽毛布団の斜視図である。
【図４】図３のIV−IV部位の概略拡大断面図である。
【発明を実施するための形態】
【００１７】
以下、本発明の実施形態を図面に基づいて説明する。なお、以下の説明において「％」は、特に断らない限り、重量％である。
【００１８】
第１実施形態の羽毛布団Ｆ１について説明する。
【００１９】
羽毛布団Ｆ１は、図１に示すように、平面視の外形形状を略矩形状として構成されるもので、図２に示すように、袋状の外袋部１９と、外袋部１９に収納された袋状の内袋部１８とからなる二重袋体１７を備え、内袋部１８内に羽毛１２を充填（すなわち直接収納）し、外袋部１９と内袋部１８との間に真綿１６を充填することにより、構成されている。すなわち、内袋部１８内には羽毛１２よりなる羽毛層１１が形成され、その外側の外袋部１９と内袋部１８との間に、真綿１６よりなる真綿層１５が、内袋部１８を介して羽毛層１１の外側全部を覆うように形成されている。
【００２０】
羽毛布団Ｆ１では、内袋部１８は、ウール（羊毛繊維）略１００％の織布の片面を縮絨（ミルド加工）により毛羽立たせた布帛１４から構成され、図２の円内の要部拡大図に示すように、その毛羽立たせた面１４ａが真綿１６側（真綿１６に接触する側）となるように袋状に縫製されたものとされている。なお、縮絨は一般的な縮絨機を用いて行われる。
【００２１】
また、真綿層１５の外周側を覆う外袋部１９は、綿１００％の織布から構成されているが、綿と綿以外の繊維とからなる織布で構成してもよい。
【００２２】
真綿１６は、エリシルク（Eri Silk）により構成されている。エリシルクは、一般的なマルベリーシルク（Mulberry Silk）よりも軽く保温性に優れているため、羽毛布団Ｆ１をより軽く保温性に優れたものとすることができる。なお、かかる点を考慮しなければ、真綿１６をマルベリーシルクにより構成してもよい。
【００２３】
以上説明したように、羽毛布団Ｆ１は、袋状の外袋部１９と、外袋部１９に収納された袋状の内袋部１８とを備え、外袋部１９と内袋部１８との間に真綿１６が収納され、内袋部１８に羽毛１２が直接収納されている。そして、内袋部１８が、ウール略１００％の布帛１４、すなわち、ウールを９５％（正確には、布帛１４を構成する全繊維重量中、９５％）以上含む布帛１４により構成され、布帛１４の真綿１６側となる面１４ａが、縮絨により毛羽立たせられている。
【００２４】
このように、羽毛布団Ｆ１は、真綿層１５と羽毛層１１との間に配置される内袋部１８が、吸湿性に優れたウールを９５％以上含む布帛１４により構成されているため、真綿層１５が吸収した湿気が内袋部１８に速やかに伝わり、内袋部１８から羽毛層１１に伝わるので、真綿層１５から羽毛層１１への湿気の伝達が良好となる。なお、標準状態（温度２０℃、湿度６５％）でのウールの吸湿量は約１５．０％、綿の吸湿量は約８．５％であり、ウールは綿に比し吸湿性が非常によい。
【００２５】
また、布帛１４の真綿１６側の面１４ａの毛羽が、布帛１４の織目の隙間を塞ぐような構成となるため、布帛１４の織目を細かくしなくても、真綿１６側に羽毛１２が飛び出し難くなる。すなわち、布帛１４の織目を細かくすると、通気性が低下し、透湿性が悪くなる虞があるが、羽毛布団Ｆ１では、内袋部１８を構成する布帛１４の織目は、比較的粗くてもよく、羽毛布団Ｆ１では、布帛１４の織目は、外袋部１９を構成する布帛より粗くされている。
【００２６】
さらに、羽毛布団Ｆ１では、布帛１４の毛羽により真綿１６との間の摩擦力が大きくなるため、真綿１６が内袋部１８に対して滑り難くなり、身体へのフィット性が向上する。
【００２７】
そして、羽毛布団Ｆ１では、布帛１４の毛羽により、羽毛層１１、真綿層１５以外のさらなる保温層が形成されるため、保温性が一層向上する。
【００２８】
なお、布帛１４は、少なくともウールを７０％含むものであればよい。ウールの標準状態での吸湿量が１５．０％であることから、ウールを７０％含めば、単純計算で１５．０％×０．７＝１０．５％と、綿の標準状態での吸湿量８．５％以上の吸湿量を得られ、一般に布団側に使用される綿１００％の布帛よりも吸湿性を改善できるからである。但し、布帛１４がウールを９５％以上含むこととすれば、吸湿性に非常に優れることとなる。なお、ここで９５％としたのは、ウール以外の繊維が混入している可能性を考慮したものであり、勿論、ウール１００％でもよい。
【００２９】
また、布帛１４を、抗菌性繊維を含むものとしてもよい。洗濯が困難な羽毛布団Ｆ１の内部に配置される布帛１４を抗菌性のあるものとすることで、羽毛布団Ｆ１の内部の菌の繁殖を抑制し、衛生的な羽毛布団Ｆ１を提供できるからである。
【００３０】
抗菌性繊維としては、Amicor（商標又は登録商標）（以下、「アミコール」と表記する。）を用いることができる。アミコールは、英国のAcordis社により開発され、現在、Thai Acrylic Fibre社により販売されている抗菌性アクリル繊維であり、抗菌剤が繊維の核に取り込まれた構造を有しているため、長期間にわたって抗菌作用を保持し、洗濯を繰り返しても抗菌性が低下し難い。このため、羽毛布団Ｆ１における菌の繁殖を長期間にわたって抑制できる。また、ウールに比し安価なアクリル繊維であるアミコールを混紡することにより、ウール１００％の場合よりもコストを下げることが可能である。
【００３１】
なお、布帛を構成する全繊維重量中１５％をアミコールとすれば、十分に抗菌性を発揮することが試験により確認されている。表１は、全繊維重量中８５％を綿、１５％をアミコール（抗菌剤として、Sanitized（登録商標） BC 98-56使用）とした靴下を用いて、JIS L 1902:2008の定量試験方法に準拠して、黄色ブドウ球菌を供試菌として静菌活性値を測定し、菌の減少率を測定した結果を示したものである。表１の（ａ）、（ｂ）は、それぞれ洗濯（ＡＡＴＣＣ−１３５法による。）３０回後、５０回後の結果を示し、洗濯を繰り返しても、十分な抗菌性を有することが分かる。したがって、布帛１４を、ウールを７０％以上、アミコール又はアミコールの同等品（アミコールと同等の抗菌性繊維）を１５％以上含むものとすれば、吸湿性と抗菌性の両方に優れることとなる。
【００３２】
また、布帛を構成する全繊維重量中２０％をアミコールとすれば、十分に防ダニ性を発揮することが試験により確認されている。表２は、アミコールの防ダニ性の評価試験の結果を示すものである。方法は、標準的なＡＦＮＯＲ  ＮＦ  Ｇ  ３９−０１１に準拠した。但し、フランスのボルドーにあるI.N.R.A.の保存培養のヤケヒョウヒダニ菌株を使用して飼育した雌雄混合の５０匹の成体ダニを、実験ユニット毎に使用し、タイプＩの食糧源を実験ユニット毎に２００ｍｇ使用し、ダニの生存性の評価は、３０〜４０℃の低温の「Heating Escape Method」（Bischoff）を用いて行い、照査標準とする未処理生地を含め、同日に４回反復して評価を行った。サンプル生地は、アクリル１００％（未処理生地）、及び、いずれも１．５％のSanitized（登録商標） BC 98-56を抗菌剤として使用したアミコール２０％アクリル８０％、アミコール３０％アクリル７０％、アミコール５０％アクリル５０％、アミコール２０％ウール８０％の各生地とし、ダニにさらされる生地の重量は、１．３±０．２ｇとした。表２から、アミコールを２０％以上含めば、十分に防ダニ性を発揮することが分かる。したがって、布帛１４を、ウールを７０％以上、アミコール又はアミコールの同等品を２０％以上含むものとしてもよい。
【００３３】
次に、第２実施形態の羽毛布団Ｆ２について説明する。
【００３４】
羽毛布団Ｆ２は、図３に示すように、平面視の外形形状を略矩形状として構成されるもので、図４に示すように、羽毛布団本体３１と、羽毛布団本体３１を内部に収納する羽毛布団用カバー３０とから構成されている。羽毛布団用カバー３０は、本発明の羽毛布団用カバーの実施形態に相当する。
【００３５】
羽毛布団本体３１は、袋体２３内に羽毛２２を充填することにより構成されている。すなわち、羽毛布団Ｆ２は、内袋部２８に、羽毛２２が、袋体２３に収納された状態で、収納されている。袋体２３は、内部に収納した羽毛２２の飛び出しを抑制可能に、織目を細かく設定された織布にダウンプルーフ加工を施した布帛を使用して、袋状に形成されている。羽毛布団本体３１は、羽毛布団用カバー３０から分離可能とされて、羽毛布団用カバー３０に形成される後述するファスナー２０により、羽毛布団用カバー３０に出し入れ自在とされている。
【００３６】
羽毛布団用カバー３０は、図４に示すように、袋状の外袋部２９と、外袋部２９に収納された内袋部２８とからなる二重袋体２７を備え、外袋部２９と内袋部２８との間に真綿２６を充填することにより、構成されている。すなわち、外袋部２９と内袋部２８との間に、真綿２６よりなる真綿層２５が形成されている。
【００３７】
内袋部２８は、布帛１４と同様に、ウール略１００％の織布の片面を縮絨により毛羽立たせた布帛２４から構成され、図４の円内の要部拡大図に示すように、その毛羽立たせた面２４ａが真綿２６側（真綿２６に接触する側）となるように袋状に縫製されたものとされている。
【００３８】
外袋部２９は、綿１００％の織布から構成されているが、綿と綿以外の繊維とからなる織布で構成してもよい。
【００３９】
真綿２６は、エリシルクにより構成されているが、マルベリーシルク等他のシルクにより構成してもよい。
【００４０】
図３に示すように、羽毛布団用カバー３０の一方の長辺３０ａ側には、ファスナー２０が取り付けられ、図４に示すように、内袋部２８と外袋部２９とはファスナー２０の取り付け部分で連結されて、ファスナー２０を開放すると、外袋部２９と共に内袋部２８が開口され、ファスナー２０を閉鎖すると、外袋部２９と共に内袋部２８が閉口される。すなわち、ファスナー２０は、内袋部２８に羽毛布団本体３１を出し入れ可能とする開閉手段に相当する。
【００４１】
そして、羽毛布団用カバー３０は、羽毛布団本体３１を内部（内袋部２８内）に収納して羽毛布団本体３１の外側全部を被覆可能な大きさとされ、内袋部２８内に、羽毛２２からなる羽毛層２１を有した羽毛布団本体３１が収納されることから、羽毛層２１の外側全部を覆うように、真綿層２５が配置されることとなる。なお、図４では、分かり易くするために、羽毛布団用カバー３０と羽毛布団本体３１との間に空間を設けて示しているが、実際には、上側の真綿２６の重みにより、羽毛布団用カバー３０と羽毛布団本体３１とは、略密着することとなる。
【００４２】
以上説明したように、羽毛布団Ｆ２は、袋状の外袋部２９と、外袋部２９に収納された袋状の内袋部２８とを備え、外袋部２９と内袋部２８との間に真綿２６が収納され、内袋部２８に、羽毛２２が袋体２３に収納された状態で収納されている。そして、内袋部２８が、ウール略１００％の布帛２４、すなわち、ウールを９５％以上含む布帛２４により構成され、布帛２４の真綿２６側となる面が、縮絨により毛羽立たせられている。
【００４３】
このように、羽毛布団Ｆ２は、真綿層２５と袋体２３内の羽毛層２１との間に配置される内袋部２８が、吸湿性に優れたウールを９５％以上含む布帛２４により構成されているため、真綿層２５が吸収した湿気が内袋部２８に速やかに伝わり、内袋部２８から袋体２３を介して羽毛層２１に伝わるので、真綿層２５から羽毛層２１への湿気の伝達が良好となる。
【００４４】
また、布帛２４の真綿２６側の面の毛羽が、布帛２４の織目の隙間を塞ぐような構成となるため、布帛２４の織目を細かくしなくても、真綿２６側に羽毛２２が飛び出し難くなる。
【００４５】
さらに、羽毛布団Ｆ２では、布帛２４の毛羽により真綿２６との間の摩擦力が大きくなるため、真綿２６が内袋部２８に対して滑り難くなり、身体へのフィット性が向上する。
【００４６】
そして、羽毛布団Ｆ２では、布帛２４の毛羽により、羽毛層２１、真綿層２５以外のさらなる保温層が形成されるため、保温性が一層向上する。
【００４７】
また、羽毛布団Ｆ２は、ファスナー２０を設けて羽毛布団用カバー３０から羽毛布団本体３１を出し入れ自在としていることから、羽毛布団用カバー３０と羽毛布団本体３１とを容易に分離可能であり、洗濯等のメンテナンスが容易である。なお、このような点を考慮しなければ、ファスナー２０のような開閉手段を設けない構成としてもよい。
【００４８】
また、羽毛布団用カバー３０は、例えば、手持ちの羽毛布団等、任意の羽毛布団を内部に収納させて使用することができ、任意の羽毛布団を使用した場合にも、上述した羽毛布団Ｆ２と同様の効果が得られる。
【００４９】
また、布帛２４をウールを９５％以上含むものとすれば、吸湿性に非常に優れることとなるが、布帛２４は、布帛１４と同様に、少なくともウールを７０％含むものであればよい。
【００５０】
また、布帛２４を、布帛１４と同様に、抗菌性繊維を含むものとしてもよい。洗濯が困難な真綿２６が内部に収納された羽毛布団用カバー３０の布帛２４を、抗菌性のあるものとすることで、羽毛布団用カバー３０の内部の菌の繁殖を抑制し、衛生的な羽毛布団用カバー３０を提供できるからである。さらに、布帛２４を、布帛１４と同様に、ウールを７０％以上、アミコール又はアミコールと同等の抗菌性繊維を１５％以上含むものとすれば、吸湿性に優れるとともに抗菌性に優れた衛生的な羽毛布団用カバー３０を提供可能である。
【００５１】
なお、上記各実施形態では、布帛１４，２４の片面のみを縮絨により毛羽立たせたが、布帛１４，２４の両面を縮絨により毛羽立たせてもよい。但し、布帛２４の場合には、真綿２６側となる片面のみとすれば、羽毛布団本体３１を出し入れするときに摩擦が小さいため、出し入れし易くなる。
【００５２】
また、外袋部１９，２９を構成する布帛を、内袋部１８，２８を構成する布帛１４，２４と同様に、ウールを７０％以上含むものとしたり、さらには抗菌性繊維を含むものとしてもよいが、綿を主に含むものとすれば、肌触りに優れることとなり、ウールやアクリルを多用することによる羽毛布団Ｆ１，Ｆ２全体の重量の過度の増加を回避できる。さらに、外袋部１９，２９を構成する布帛の真綿１６，２６側の面を、真綿１６，２６が滑り難いものとしてもよい。身体へのフィット性が向上するからである。
【００５３】
【表１】
0005761700.tif 000002
【００５４】
【表２】
0005761700.tif 000003
【符号の説明】
【００５５】
１２，２２  羽毛
１６，２６  真綿
１８，２８  内袋部
１９，２９  外袋部
２０        ファスナー（開閉手段）
２３        袋体
１４，２４  布帛
３０        羽毛布団用カバー
Ｆ１，Ｆ２  羽毛布団
【要約】
【課題】羽毛層の外側を内袋を介して真綿層で覆う構造の羽毛布団において、真綿層から羽毛層への湿気の伝達を良好なものとするとともに、真綿層に羽毛が飛び出し難く、かつ、内袋を真綿が滑り難い構造とし、さらに、保温性を一層向上させる。
【解決手段】袋状の外袋部１９と、外袋部１９に収納された袋状の内袋部１８と、を備え、外袋部１９と内袋部１８との間に真綿１６が収納され、内袋部１８に、羽毛１２が収納された羽毛布団Ｆ１において、内袋部１８が、ウールを７０重量％以上含む布帛１４により構成され、布帛１４の真綿１６側となる面１４ａが、縮絨により毛羽立たせられている羽毛布団Ｆ１。
【選択図】図２【図１】
0005761700.tif 000004
【図２】
0005761700.tif 000005
【図３】
0005761700.tif 000006
【図４】
0005761700.tif 000007